(57)【要約】      （修正有）【課題】専用作業台を必要とすることなく、糸鋸機のような使用手段も可能であるハンド型電動ジグソーを提供する。【解決手段】本体１のハウジング内に、モーター及び往復駆動機構を内装し、且つ上方個所に把手部１１を設け、所定のベース板２上に装着すると共に、往復駆動機構に装着した鋸刃体３を本体の先部においてベース板２の下方に突出させてなるハンド型電動ジグソーであって、把手部１１の上面をベース板２の下面（当接底面）２１と平行面となる逆底面部１４に形成すると共に、ベース板を前方に延出可能に設けてなり、器具の逆転使用を可能とする。【選択図】図３
0003150345.tif 000002
【実用新案登録請求の範囲】
【請求項１】
本体ハウジング内に、モーター及び往復駆動機構を内装し、且つ上方個所に把手部を設け、所定のベース板上に装着すると共に、往復駆動機構に装着した鋸刃体を本体の先部においてベース板の下方に突出させてなるハンド型電動ジグソーであって、把手部の上面をベース板の下面と平行面となる逆底面部に形成すると共に、ベース板を前方に延出可能に設けてなることを特徴とするハンド型電動ジグソー。
【請求項２】
把手部が本体ハウジングと一体に形成してなる請求項１記載のハンド型電動ジグソー。
【請求項３】
本体ハウジングの上方個所に、突出時に逆底面部と同一平面となる足板部を、本体ハウジングに収納可能に付設してなる請求項２記載のハンド型電動ジグソー。
【請求項４】
足板部に、ビス装着孔を形成してなる請求項３記載のハンド型電動ジグソー。
【請求項５】
ベース板を、本体を装着する第一ベース板部と、第一ベース板部の先部に延出可能で且つ延出させた際に第一ベース板部の底面と一致する底面を備えた第二ベース板部とで構成した請求項１乃至４記載の何れかのハンド型電動ジグソー。
【請求項６】
第二ベース板部を第一ベース板部に、スライド延出自在に組み込んでなる請求項５記載のハンド型電動ジグソー。
【考案の詳細な説明】
【技術分野】
【０００１】
本考案は、ハンド型電動ジグソーに関するものである。
【背景技術】
【０００２】
ハンド型電動ジグソーは、本体ハウジング内に、モーター及び往復駆動機構を内装し、且つ上方個所にハウジングと一体若しくは別体で把手部を設け、ベース板上に装着すると共に、往復駆動機構に装着した鋸刃体をベース板の下方へ突出させているもので、切断対象物の板材（ワーク）上にベース板を載せて、把手部を握持して本体を手で所望方向に移動させ、往復作動する鋸刃体で所望のラインに切り進む器具である（特許文献１：特開平７−１７１８０２号公報）。
【０００３】
またこのハンド型電動ジグソーを利用する手段として、ハンド型電動ジグソーを所定の作業台に固定して使用することが提案されている（特許文献２，３）。
【０００４】
特許文献２（登録実用新案３１１６４９９号公報）には、ジグソー貫通孔を備えると共に、切断対象物（被加工物）を押さえる押さえ盤を備えた専用の取付台に、ハンド型電動ジグソーを、テーブル面の下面から装着して、切断加工を行うことが開示されている。
【０００５】
また特許文献３（特開平９−３００３０３号公報）には、ハンド型電動ジグソーの本体を専用の装着台に取り付け、往復駆動機構に糸鋸を装着して、小型の簡易糸鋸機とする手段が開示されている。
【先行技術文献】
【特許文献】
【０００６】
【特許文献１】特開平７−１７１８０２号公報。
【特許文献２】登録実用新案３１１６４９９号公報。
【特許文献３】特開平９−３００３０３号公報。
【考案の概要】
【考案が解決しようとする課題】
【０００７】
ハンド型電動ジグソーを利用して、糸鋸機のように固定した往復作動する鋸刃体に対して被加工物を当接移動させて、所望形状に切断する機器とすることは、前記のとおり特許文献２，３で開示されているが、それには専用の作業台が必要である。このため日曜大工のような簡易な作業を実施するのに適しているとは云えない。
【０００８】
そこで本考案は、態々専用作業台を必要とすることなく、ハンド型電動ジグソーを改良することで、糸鋸機のような使用手段を可能とすることを提案したものである。
【課題を解決するための手段】
【０００９】
本考案に係るハンド型電動ジグソーは、本体ハウジング内に、モーター及び往復駆動機構を内装し、且つ上方個所に把手部を設け、所定のベース板上に装着すると共に、往復駆動機構に装着した鋸刃体を本体の先部においてベース板の下方に突出させてなるハンド型電動ジグソーであって、把手部の上面をベース板の下面と平行面となる逆底面部に形成すると共に、ベース板を前方に延出可能に設けてなることを特徴とするものである。
【００１０】
而して通常の使用手段での切断作業を実施する他に、逆底面部を下にして適宜な作業台上に載置し、ベース板を先部（使用状態においては作業者側の手前となる）に延出し、延出したベース板上に被加工物（ワーク）を載せ、上下作動している鋸刃体に対して当接移動させる逆転使用によって、糸鋸機と同様に使用することができる。
【００１１】
また本考案（請求項２、３、４）に係るハンド型電動ジグソーは、把手部が本体ハウジングと一体に形成され、本体ハウジングの上方個所に、突出時に逆底面部と同一平面となる足板部を、本体ハウジングに収納可能に付設してなるもので、本体の逆転載置が安定することになり、更に足板部に、ビス装着孔を形成し、作業体に本体をビス固定すると、本体の横転が確実に防止され、逆転使用時の安全性が高められる。
【００１２】
更に本考案（請求項５）に係るハンド型電動ジグソーは、特にベース板を、本体を装着する第一ベース板部と、第一ベース板部の先部に延出可能で且つ延出させた際に第一ベース板部の底面と一致する底面を備えた第二ベース板部とで構成したもので、逆転使用時にのみ第二ベース板部を前方（通常使用時の先方）に延出することで、ベース板全長が伸張することになり、逆転使用時の作業性が高められる。
【考案の効果】
【００１３】
本考案の構成は上記のとおりで、ハンド型電動ジグソーを通常とおり使用できると共に、特別な作業台を必要とせずに、本体を上下逆転させての逆転使用も可能とし、ハンド型電動ジグソーの利便性をより以上高めたものである。
【図面の簡単な説明】
【００１４】
【図１】本考案の実施形態の正面図（通常使用時）。
【図２】同上下逆転状態の斜視図。
【図３】同図（逆転使用状態）。
【図４】同逆転使用状態の側面図。
【考案を実施するための形態】
【００１５】
次に本考案の実施形態について説明する。実施形態に示したハンド型電動ジグソーは、基本的に従前と同様で、本体１と、ベース板２と、鋸刃体（ブレード）３で構成されるものである。
【００１６】
本体１は、本体ハウジング内にモーター及び往復駆動機構を内装し、且つ上方個所に本体ハウジングと一体に把手部１１を設け、本体前部下方に往復駆動機構のブレード装着部１２を露出形成し、把手部１１の指当て個所に、把手部スイッチ１３を設けている。
【００１７】
前記の本体１は、本体の平面透視の大きさと略一致する大きさで、ワークＡの平面上に当接する平滑な当接底面（下面）２１を備えたベース板２上に装着され、鋸刃体（ブレード）３は、基部が前記のブレード装着部１２に装着固定され、ベース板２のブレード挿通孔２２を通してベース板２の下方に突出させてなるものである。
【００１８】
特に本考案においては、本体１の最上位置となる把手部１１の上面を、ベース板２における当接底面（下面）２１と平行面となる逆底面部１４に形成し、更に本体ハウジングの上方外周適宜箇所には、突出時に逆底面部１４と同一平面となる足板部１５を、本体ハウジングに収納可能に付設してなる。この足板部１５には、ビス装着孔１６を形成してなるものである。
【００１９】
また前記の握持時の把手部スイッチ１３の他に、本体１の適宜箇所（例えば側面のように、逆転使用時において操作しやすい個所）に作動スイッチ１７を設けておく。
【００２０】
ベース板２は、第一ベース板部２ａと第二ベース板部２ｂで構成され、第一ベース板部２ａは、従前のベース板と同様に本体１を装着し、当接底面２１及びブレード挿通孔２２を備えるもので、特に下記する長溝部２３を形成するために当接底面２１の平滑維持に支障が生じないように、ブレード挿通孔２２及び長溝部２３の前方を、上方に折曲した前端部２４で連結してなる。
【００２１】
第二ベース板部２ｂは、当接底面２１の前方が開口して前後方向に形成された２本の長溝部２３に、上下方向への離脱を防止したレール構造の側端縁を備えてスライド自在に装着したもので、その下面（逆転使用時の上面）２５は、当接底面２１と同一平面となるように組み込まれ、左右２本の長溝部２３に装着されたベース板材は前端部２６で連結されてなる。
【００２２】
而して前記の実施形態に示したハンド型電動ジグソーは、図１に示すとおりベース板２を被加工物（ワーク）Ａに載置した状態で、把手部１１を握持し、把手部スイッチ１３も同時に握ってスイッチオンとし、鋸刃体３を上下作動させてワークＡを切り進めるもので、従前の器具同様に使用する（通常使用状態）。
【００２３】
更に本体１を上下逆転させると、図２に例示するとおり、逆底面部１４が平滑面であるので、適宜な作業台Ｂに安定状態で起立することになる。
【００２４】
そこで更に足板部１５を外周方向に突出させ、必要に応じてビスＣで作業台Ｂに固定し、第二ベース板部２ｂを前方（使用状態においては作業者側の手前となる）に延出する。（図３，４）。
【００２５】
そうすると、第一ベース板部２ａ及び第二ベース板部２ｂで構成されるベース板２は、通常使用状態より作用面積が広げられ、ワークＡの載せ台として機能させ、ワークＡを上下作動している鋸刃体３に向けて当接移動させると、糸鋸機と同様に使用することができる。
【００２６】
従って日曜大工のような簡易な木工作業においては、大きな板材（ワーク）を切断する場合には、器具を動かす通常使用で適切な作業がなされ、細かな切断作業においては、本体の逆転使用を行って、板材（ワーク）を動かすことで適切な切断作業を実施することができるものである。
【００２７】
尚把手部は、特許文献１記載のように別体で回動自在でも良く、その場合でもベース板２の当接底面と平行面となる逆底面部１４を備えるものであれば良い。
【００２８】
また足板部を設けること、並びに足板部の形状は任意であり、ベース板２の延出構造も、第二ベース板部２ｂを設けずに、ベース板２の全体が前方へ進出する構造でも良い。更に第二ベース板部２ｂを設けてもスライド延出構造を採用せずに、第一ベース板部２ａの前端部２４に枢結し、回動動作で延出するように設けても良い。
【符号の説明】
【００２９】
１          本体
１１        把手部
１２        ブレード装着部
１３        把手部スイッチ
１４        逆底面部
１５        足板部
１６        ビス装着孔
１７        作動スイッチ
２          ベース板
２ａ        第一ベース板部
２ｂ        第二ベース板部
２１        当接底面（下面）
２２        ブレード挿通孔
２３        長溝部
２４        前端部
２５        下面（第二ベース板部）
２６        前端部（第二ベース板部）
３          鋸刃体（ブレード）  
【図１】
0003150345.tif 000003
【図２】
0003150345.tif 000004
【図３】
0003150345.tif 000005
【図４】
0003150345.tif 000006